(57)【要約】【課題】  この発明は、連続する画像から異なる画像に移行する際の品位の低下を低減することを目的としている。【解決手段】  映像信号を受信する映像信号受信手段（４７）と、受信した映像信号から分離された輝度信号（Ｙ信号）と色信号（Ｃ信号）を記憶媒体に記憶する記憶手段（２０８、２０９）と、受信した映像信号に係る動きを動き検出値として検出する動き検出手段（２０７）と、検出された動き検出値を予め設定された出力切り替え基準値と比較する比較手段（２１１）と、動き検出値が出力切り替え基準値より大きい場合は前記記憶媒体に記憶された輝度信号（Ｙ信号）と色信号（Ｃ信号）を出力する映像出力手段（２１０）を備えるように構成している。【選択図】    図４
2006174341.tif 000002
【特許請求の範囲】
【請求項１】
受信した映像信号に基づいて映像を出力する映像信号出力装置において、
映像信号を受信する映像信号受信手段と、
前記受信した映像信号から分離された輝度信号（Ｙ信号）と色信号（Ｃ信号）を記憶媒体に記憶する記憶手段と、
受信した映像信号に係る動きを動き検出値として検出する動き検出手段と、
前記検出された動き検出値を予め設定された出力切り替え基準値と比較する比較手段と、
前記動き検出値が前記出力切り替え基準値より大きい場合は前記記憶媒体に記憶された輝度信号（Ｙ信号）と色信号（Ｃ信号）を出力する映像出力手段を備えることを特徴とする映像信号出力装置。
【請求項２】
受信した映像信号に基づいて映像を出力する映像信号出力装置において、
映像信号を受信する映像信号受信手段と、
前記受信した映像信号から分離された輝度信号（Ｙ信号）と色信号（Ｃ信号）を１フレーム単位の周期で更新して記憶媒体に記憶する記憶手段と、
受信した映像信号に係る動きを動き検出値として検出する動き検出手段と、
前記検出された動き検出値を予め設定された出力切り替え基準値と比較する比較手段と、
前記動き検出値が前記出力切り替え基準値より大きい場合は前記記憶媒体に記憶された輝度信号（Ｙ信号）と色信号（Ｃ信号）を出力する映像出力手段を備えることを特徴とする映像信号出力装置。
【請求項３】
受信した映像信号に基づいて映像を出力する映像信号出力装置において、
映像信号を受信する映像信号受信手段と、
前記受信した映像信号から分離された輝度信号（Ｙ信号）と色信号（Ｃ信号）を記憶媒体に記憶する記憶手段と、
受信した映像信号に係る動きを動き検出値として検出する動き検出手段と、
前記検出された動き検出値を予め設定された出力切り替え基準値と比較し、動き検出値が出力切り替え基準値より大きいか否かを検出する検出手段と、
前記動き検出値が前記出力切り替え基準値より大きいと判断された場合は前記記憶媒体に記憶された１フレーム前の輝度信号（Ｙ信号）と色信号（Ｃ信号）を出力する映像出力手段を備えることを特徴とする映像信号出力装置。
【請求項４】
前記記憶媒体は一時記録可能なフレームメモリで構成されることを特徴とする請求項１乃至３に記載の映像信号出力装置。
【請求項５】
映像信号を受信するステップと、
前記受信した映像信号から分離された輝度信号（Ｙ信号）と色信号（Ｃ信号）を記憶媒体に記憶するステップと、
受信した映像信号に係る動きを動き検出値として検出するステップと、
前記検出された動き検出値を予め設定された出力切り替え基準値と比較するステップと、
前記動き検出値が前記出力切り替え基準値より大きい場合は前記記憶媒体に記憶された輝度信号（Ｙ信号）と色信号（Ｃ信号）を出力するステップを備えることを特徴とする映像信号出力方法。
【請求項６】
映像信号を受信するステップと、
前記受信した映像信号から分離された輝度信号（Ｙ信号）と色信号（Ｃ信号）を１フレーム単位の周期で更新して記憶媒体に記憶するステップと、
受信した映像信号に係る動きを動き検出値として検出するステップと、
前記検出された動き検出値を予め設定された出力切り替え基準値と比較するステップと、
前記動き検出値が前記出力切り替え基準値より大きい場合は前記記憶媒体に記憶された輝度信号（Ｙ信号）と色信号（Ｃ信号）を出力するステップを備えることを特徴とする映像信号出力方法。
【請求項７】
映像信号を受信するステップと、
前記受信した映像信号から分離された輝度信号（Ｙ信号）と色信号（Ｃ信号）を記憶媒体に記憶するステップと、
受信した映像信号に係る動きを動き検出値として検出するステップと、
前記検出された動き検出値を予め設定された出力切り替え基準値と比較し、動き検出値が出力切り替え基準値より大きいか否かを検出するステップと、
前記動き検出値が前記出力切り替え基準値より大きいと判断された場合は前記記憶媒体に記憶された１フレーム前の輝度信号（Ｙ信号）と色信号（Ｃ信号）を出力するステップを備えることを特徴とする映像信号出力方法。
【発明の詳細な説明】
【技術分野】
【０００１】
この発明は、受信した映像信号に基づいて映像を出力する映像信号出力装置に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行なわせたり、任意のデジタル記録機器を指定して番組の再生を行なわせたりすることができる。
【０００５】
特許文献１には、動き検出回路を有し、動き検出回路の出力に応じて２次元輝度信号色信号分離回路と３次元輝度信号色信号分離回路の出力を切り替えるかまたは混合する技術が開示されている。しかしながら、静止画の場合はドット妨害及びクロスカラー妨害の無い理想的なＹＣ分離をする３次元ＹＣ分離処理でも、連続する静止画から画像の異なる別の静止画に移行する際に、画像全体の品位を著しく落としてしまう場合があるといった恐れがあった。
【特許文献１】特開平８−１６３５８３号公報
【発明の開示】
【発明が解決しようとする課題】
【０００６】
ところで、静止画の場合はドット妨害及びクロスカラー妨害の無い理想的なＹＣ分離をする３次元ＹＣ分離処理でも、連続する静止画から画像の異なる別の静止画に移行する際に、画像全体の品位を著しく落としてしまう場合があるといった問題があった。
【０００７】
この発明は、上記事情を考慮してなされたもので、連続する画像から異なる画像に移行する際の品位の低下を低減することを目的とする。
【課題を解決するための手段】
【０００８】
この発明に係る映像信号出力装置は、映像信号を受信する映像信号受信手段と、前記受信した映像信号から分離された輝度信号（Ｙ信号）と色信号（Ｃ信号）を記憶媒体に記憶する記憶手段と、受信した映像信号に係る動きを動き検出値として検出する動き検出手段と、前記検出された動き検出値を予め設定された出力切り替え基準値と比較する比較手段と、前記動き検出値が前記出力切り替え基準値より大きい場合は前記記憶媒体に記憶された輝度信号（Ｙ信号）と色信号（Ｃ信号）を出力する映像出力手段を備えるように構成している。
【０００９】
また、この発明に係る映像信号出力方法は、映像信号を受信するステップと、前記受信した映像信号から分離された輝度信号（Ｙ信号）と色信号（Ｃ信号）を記憶媒体に記憶するステップと、受信した映像信号に係る動きを動き検出値として検出するステップと、前記検出された動き検出値を予め設定された出力切り替え基準値と比較するステップと、前記動き検出値が前記出力切り替え基準値より大きい場合は前記記憶媒体に記憶された輝度信号（Ｙ信号）と色信号（Ｃ信号）を出力するステップを備えるように構成している。
【発明の効果】
【００１０】
この発明によれば、連続する画像から異なる画像に移行する際の品位の低下を低減することが可能となる。
【発明を実施するための最良の形態】
【００１１】
以下、この発明の実施の形態について図面を参照して詳細に説明する。図１は、この実施の形態で説明する映像信号出力装置１１の外観と、この映像信号出力装置１１を中心として構成されるネットワークシステムの一例を概略的に示している。
【００１２】
すなわち、映像信号出力装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１３】
また、この映像信号出力装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１４】
さらに、この映像信号出力装置１１には、例えば契約情報等の記録された第２のメモリカード（ＩＣカード）２０が着脱可能となっており、この第２のメモリカード２０に対して情報の記録再生が行なわれるようになっている。
【００１５】
また、この映像信号出力装置１１は、第１のＬＡＮ（Local Area Network）端子２１、第２のＬＡＮ端子２２、ＵＳＢ（Universal Serial Bus）端子２３及びｉ．Link端子２４を備えている。
【００１６】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１７】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１８】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１９】
なお、ＤＶＤレコーダ２９については、第２のＬＡＮ端子２２を介して通信されるデジタル情報が制御系の情報であるため、映像信号出力装置１１との間でアナログの映像及び音声情報を伝送するために、専用のアナログ伝送路３０を設ける必要がある。
【００２０】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２１】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２２】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２３】
図２は、上記した映像信号出力装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２４】
そして、このチューナ４５で選局された放送信号は、ＰＳＫ（Phase Shift Keying）復調器４６に供給されて、デジタルの映像信号及び音声信号に復調された後、信号処理部４７に出力される。
【００２５】
また地上波アナログ信号を受信するアナログチューナ６８も設けられている。アナログチューナ６８で受信された信号は、アナログ復調器６９で復調され信号処理部４７に出力される。
【００２６】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００２９】
このうち、グラフィック処理部５２は、信号処理部４７から供給されるデジタルの映像信号に、ＯＳＤ（On Screen Display）信号生成部５４出生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３０】
そして、グラフィック処理部５２から出力されたデジタルの映像信号は、映像処理部５５に供給される。この映像処理部５５は、入力されたデジタルの映像信号を、前記映像表示器１４で表示可能なフォーマットのアナログ映像信号に変換し、映像表示器１４に出力して映像表示させる。
【００３１】
また、上記音声処理部５３は、入力されたデジタルの音声信号を、前記スピーカ１５で再生可能なフォーマットのアナログ音声信号に変換し、スピーカ１５に出力して音声再生させる。
【００３２】
ここで、この映像信号出力装置１１は、上記した各種の受信動作を含むその全ての動作を制御部５６によって統括的に制御されている。この制御部５６は、ＣＰＵ（Central Processing Unit）等を内蔵しており、前記操作部１６からの操作情報を受け、または、リモートコントローラ１７から送出された操作情報を、前記受光部１８を介して受信し、その操作内容が反映されるように各部をそれぞれ制御している。
【００３３】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３４】
また、この制御部５６は、カードＩ／Ｆ（Interface）６０を介して、前記第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３５】
さらに、上記制御部５６は、カードＩ／Ｆ６２を介して、前記第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３６】
また、上記制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３７】
さらに、上記制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００３８】
また、上記制御部５６は、ＵＳＢ Ｉ／Ｆ６６を介して前記ＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００３９】
さらに、上記制御部５６は、ｉ．Link Ｉ／Ｆ６７を介してｉ．Link端子２４に接続されている。これにより、制御部５６は、ｉ．Link端子２４に接続された各機器（図１参照）と、ｉ．Link Ｉ／Ｆ６７を介して情報伝送を行なうことができる。
【００４０】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００４１】
図４は、この発明の実施の形態における映像信号出力装置内の信号処理部４７で実行される映像信号処理の一例を示すブロック図である。
【００４２】
符号201 はアナログ復調器６９から出力された複合映像信号である。符号202はＡ／Ｄ変換回路である。ＰＳＫ復調器４６やＯＦＤＭ復調器５１から出力された複合映像信号はデジタル信号であるので、この場合はＡ／Ｄ変換回路202の省略が可能である。
【００４３】
符号203は２次元ＹＣ分離処理回路、符号205は３次元ＹＣ分離処理回路、符号207は動き検出回路、符号206 は色信号切換回路、符号208は輝度信号（Ｙ信号）を記憶するフレームメモリ、符号209は色信号（Ｃ信号）を記憶するフレームメモリ、符号210はY/C出力切換回路、符号211はY/C出力信号切換判定器、符号212は予め設定された出力信号切換基準値である。
【００４４】
アナログ復調器６９から出力された複合映像信号201は、Ａ／Ｄ変換回路202 によってデジタル信号に変換される。また、ＰＳＫ復調器４６やＯＦＤＭ復調器５１から出力された複合映像信号は上記のようにデジタル信号である。
【００４５】
これらアナログ復調器６９、ＰＳＫ復調器４６やＯＦＤＭ復調器５１から出力された複合映像信号は複合映像信号a として、２次元ＹＣ分離処理回路203、３次元ＹＣ分離処理回路205、動き検出回路207 にそれぞれ入力される。
【００４６】
２次元ＹＣ分離処理回路203 では、上記デジタル複合映像信号a の色信号の位相が１ライン毎に反転することを利用して、a と、そのデジタル複合映像信号aをライン遅延した信号との加算処理を行ってＣ信号を取り出す。
【００４７】
また、３次元ＹＣ分離処理回路205 では、上記デジタル複合映像信号aの位相が１フレーム毎に反転することを利用して、 a とそのデジタル複合映像信号aをフレームメモリ204に蓄積した後に出力した１フレーム前の信号との減算処理を実行して色信号（Ｃ信号）を取り出す。
【００４８】
動き検出回路207 では、上記デジタル複合映像信号aとフレームメモリ204に蓄積した後に出力した１フレーム前の信号との間の差分を抽出して、フレーム間の動きレベルを検出する。
【００４９】
この動きレベルが一定のしきい値を超えた場合は動画であるとして判定する。色信号切換回路206 は２次元ＹＣ分離処理回路203のＣ出力bを選択するか、または、３次元ＹＣ分離処理で得られたＣ信号cとの混合比率を大きくする。
【００５０】
動きレベルが一定のしきい値を下回る場合は静止画である判定する。色信号切換回路206 は３次元ＹＣ分離処理回路205のＣ出力cを選択するか、または、２次元ＹＣ分離処理回路203のＣ出力bとの混合比率を大きくする。
【００５１】
上記２次元ＹＣ分離処理および３次元ＹＣ分離処理で得られたＣ信号bとcは、色信号切換回路206で切換、または、混合された後に、上記デジタル複合映像信号aから減算処理することによって輝度信号（Ｙ信号）が得られる。
【００５２】
このようにして得られたＹ信号とＣ信号は、各々、フレームメモリ208、209を通した１フレーム前の信号と、フレームメモリ208、 209 を通さない信号とを切換えるY/C出力切換回路210 によって選択可能としている。
【００５３】
そして、動き検出回路207の動き検出値を、Y/C出力信号切換判定器211の出力信号切換基準値212 と比較し、出力切り替え基準値212よりも大きな値になった場合、つまりフレーム間の相関性が無いか又は相関性が低い場合は、前記Y/C出力切換回路210 はフレームメモリ208、 209 を通した１フレーム前のＹ信号およびＣ信号を選択・出力する。
【００５４】
また、動き検出回路207 の動き検出値が基準値と比較して小さい値になった場合、つまり比較的フレーム間の相関性がある場合は、前記Y/C出力切換回路210 はフレームメモリ208、 209 を通さないＹ信号およびＣ信号を選択・出力する。
【００５５】
上記のように構成することで、映像信号を受信し、受信した映像信号から分離された輝度信号（Ｙ信号）と色信号（Ｃ信号）を記憶媒体に記憶し、受信した映像信号に係る動きを動き検出値として検出し、検出された動き検出値を予め設定された出力切り替え基準値と比較し、動き検出値が前記出力切り替え基準値より大きい場合は前記記憶媒体に記憶された輝度信号（Ｙ信号）と色信号（Ｃ信号）を出力する映像信号出力装置を提供することが可能となる。
【００５６】
図５は、この発明の実施の形態におけるY/C分離処理に係る動作を説明するフローチャートである。
【００５７】
符号１００はここでの開始ステップである。続いて符合１０１を付したステップへ進む。
【００５８】
ステップ１０１は動き検出回路２０７で入力信号の動きを動き検出値として検出するステップである。続いて符合１０２を付したステップへ進む。
【００５９】
ステップ１０２は検出された動き検出値が予め設定された出力切り替え基準値２１２よりも大きいか否かを判断するステップである。動き検出値が出力切り替え基準値２１２よりも大きいと判断される場合は符号１０３を付したステップへ進む（Ｙｅｓ）。動き検出値が出力切り替え基準値２１２よりも大きいと判断されない場合は符号１０４を付したステップへ進む（Ｎｏ）。
【００６０】
ステップ１０３は、フレームメモリ２０８に記憶された１フレーム前のＹ信号、フレームメモリ２０９に記憶された１フレーム前のＣ信号を選択・出力するステップである。続いて符合１０５を付したステップへ進む。
【００６１】
ステップ１０４は、フレームメモリ２０８を介さない（遅延されない）Ｙ信号、フレームメモリ２０９を介さない（遅延されない）Ｃ信号を選択・出力するステップである。続いて符合１０５を付したステップへ進む。
【００６２】
ステップ１０５は終了ステップであり、ここでの処理は終了する。
【００６３】
上記説明したように、この発明の実施の形態によれば、外部から供給される設定画質を受信し、比較的容易に記憶媒体に記憶することが可能な映像信号出力装置を提供することが可能となる効果がある。
【００６４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除してもよいものである。さらに、異なる実施の形態に係る構成要素を適宜組み合わせてもよいものである。
【図面の簡単な説明】
【００６５】
【図１】この発明の実施の形態を示すもので、映像信号出力装置とそれを中心として構成されるネットワークシステムの一例を概略的に説明するために示す図。
【図２】同実施の形態における映像信号出力装置の主要な信号処理系を説明するために示すブロック構成図。
【図３】同実施の形態における映像信号出力装置のリモートコントローラを説明するために示す外観図。
【図４】この発明の実施の形態における映像信号出力装置内の信号処理部４７で実行される映像信号処理の一例を示すブロック図。
【図５】同実施の形態におけるY/C分離処理に係る動作を説明するフローチャート。
【符号の説明】
【００６６】
１１…映像信号出力装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、６８…チューナ、６９…アナログ復調器、５２…グラフィック処理部、５３…音声処理部、５６ａ〜５６ｄ…入力端子、５７…ＯＳＤ信号生成部、５５…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。201…複合映像信号、202…Ａ／Ｄ変換回路、203…２次元ＹＣ分離処理回路、205…３次元ＹＣ分離処理回路、207…動き検出回路、206…色信号切換回路、208…輝度信号（Ｙ信号）を記憶するフレームメモリ、209…色信号（Ｃ信号）を記憶するフレームメモリ、210…Y/C出力切換回路、211…Y/C出力信号切換判定器、212…予め設定された出力信号切換基準値。
【図１】
2006174341.tif 000003
【図２】
2006174341.tif 000004
【図３】
2006174341.tif 000005
【図４】
2006174341.tif 000006
【図５】
2006174341.tif 000007